(57)【要約】【課題】多数の部品を使用することなく簡単に機種判別ができるようにする。【解決手段】回路４を内部に構成したケース本体１を有し、ケース本体１には回路４に電源電圧を供給する電源端子２ａ及び接地端子２ｂと、回路４には関係しない機種判別用端子５とを外方に突出して設け、機種判別用端子５と接地端子２ｂとの間、又は機種判別用端子５と電源端子２ａとの間に接続された抵抗６をケース本体１内に設け、抵抗６の抵抗値を機種毎に異ならせたことで、抵抗６に現れる電圧を機種判別のために使用する。【選択図】        図１
2004281565.tif 000002
【特許請求の範囲】
【請求項１】
回路を内部に構成したケース本体を有し、前記ケース本体には前記回路に電源電圧を供給する電源端子及び接地端子と、前記回路には関係しない機種判別用端子とを外方に突出して設け、前記機種判別用端子と前記接地端子との間、又は前記機種判別用端子と前記電源端子との間に接続された抵抗を前記ケース本体内に設け、前記抵抗の抵抗値を機種毎に異ならせたことを特徴とする電子機器。
【請求項２】
前記接地端子、前記電源端子、前記機種判別用端子を前記ケース本体の同一側面上の所定位置に設けたことを特徴とする請求項１に記載の電子機器。
【発明の詳細な説明】
【０００１】
【発明の属する技術分野】
本発明は、機種判別を簡単に行うことができる電子機器に関する。
【０００２】
【従来の技術】
従来の電子機器を図３によって説明する。電子機器に使用される共通基板の部品実装面には機種表示部１０が設けられ、機種表示部１０は印刷枠１１の中に機種判別用のチップ部品を実装するためのパッド１２を、例えば縦方向に２列で２段に形成しており、縦方向及び横方向に並んだパッド１２間の幅は同じチップ部品の長さとなっている。
【０００３】
そして、２段２列に配置されたパッド１２に対して機種判別用チップ部品１５Ａ、１５Ｂ、１５Ｃ、１５Ｄが選択的に配置される。但し、機種判別用チップ部品１５Ａ〜１５Ｄの縦、横の配置パターンは、同じパッド１２にチップ部品が重複しないように配置される。例えば、チップ部品１５Ａと１５Ｄとの実装は右上の共通パッド１２を使用するため、１５Ａ、１５Ｄのどちらか片方だけ実装できる。
【０００４】
ここで、機種判別用チップ部品１５Ａ〜１５Ｄの配置パターンとなる置型は、パターンＡ、Ｂ、Ｃ、Ｄの符号を用いて表現すると、この機種表示部１０による置型の種類は、Ａのみ、Ｂのみ、ＡとＢ、Ｃのみ、Ｄのみ、ＣとＤ、なし（チップ備品１５Ａ〜１５Ｄのいずれもなし）の７通りである。すなわち７種類の機種が判別できる（例えば、特許文献１参照。）。
【０００５】
【特許文献１】
特開平１１−２３８９５２号公報（図２）
【０００６】
【発明が解決しようとする課題】
上記の従来例では、機種数が多くなるとチップ部品の数とそれらを取り付けるパッドの数を多くしなくてはならない。そのため、基板の面積が必然的に大きくなる。また、多数のチップ部品を取り付けるために作業工数も増加する。また、チップ部品の取り付け位置が多様化するので取り付け間違いが置きやすい。
【０００７】
本発明は、これらの問題を解決して、多数の部品を使用することなく簡単に機種判別ができるようにすることを目的とする。
【０００８】
【課題を解決するための手段】
上記の過大を解決するため、本発明の電子機器は、回路を内部に構成したケース本体を有し、前記ケース本体には前記回路に電源電圧を供給する電源端子及び接地端子と、前記回路には関係しない機種判別用端子とを外方に突出して設け、前記機種判別用端子と前記接地端子との間、又は前記機種判別用端子と前記電源端子との間に接続された抵抗を前記ケース本体内に設け、前記抵抗の抵抗値を機種毎に異ならせた。
【０００９】
また、前記接地端子、前記電源端子、前記機種判別用端子を前記ケース本体の同一側面上の所定位置に設けた。
【００１０】
【発明の実施の形態】
本発明の電子機器を図１及び図２によって説明する。図１において、送受信器等の高周波の電子機器は本体ケース１とその一側面に取り付けられた複数の端子２とからなり、本体ケース１内には回路基板３が収納され、この回路基板３上には所定の回路（高周波回路）４が構成される。端子２は全て高周波回路４に接続される。これら端子２のうち、端子２ａは高周波回路４に電源電圧を供給するための電源端子であり、端子２ｂは電源端子２ａと対となって高周波回路４を接地するための端子であり、端子２ｃは高周波回路４からの信号を出力するための端子であり、また、端子２ｄは外部から高周波回路４に信号を入力するための端子である。各端子２ａ〜２ｄはそれらの目的のため製品（送受信器）毎にその取り付け位置が決められている。
【００１１】
また、各端子２とは別に、高周波回路４とは関係のない測定用の端子（機種判別用端子）５が独立して同一の側面に取り付けられる。そして、機種判別用端子５と接地端子２ｂとの間に接続された抵抗６が回路基板３に設けられる。抵抗６の抵抗値は同一の機種に対しては同一の値を有し、機種が異なれば抵抗値が異なる。例えば、仕向先が異なるために規格、性能等が異なる場合は別の機種となる。
【００１２】
このように構成された電子機器は測定ジグ７によって電気的な性能がチェックされる。測定のために、測定ジグ７には電子機器の端子２、５にそれぞれ接触する端子８が設けられ、これら端子８から電源電圧が供給される。すなわち、電源端子８ａと接地端子８ｂとの間には外部から電源電圧Ｅが印加され、この二つの端子８ａ、８ｂがそれぞれ電子機器の電源端子２ａ、接地端子２ｂに接触することで電子機器内の回路４に電源電圧が供給される。また、測定ジグ７内では機種判別用端子８ｃに抵抗９を介して電圧が印加されれており、この端子８ｃが電子機器の機種判別用端子５に接触する。すると、機種判別用端子８ｃには測定ジグ７に設けられた抵抗９と電子機器内に設けられた抵抗６とによる分圧電圧Ｖが現れる。この分圧電圧Ｖを測定することで機種を判別する。測定ジグ７はこの機種判別のみならず電気的な性能の測定にも使用されることは勿論である。
【００１３】
図２は電子機器内の抵抗６の取り付け位置を変えたものである。即ち、抵抗６は機種判別用端子５と電源端子２ａとの間に接続される。これに対応して、測定ジグ７内では抵抗９が接地端子８ｂと機種判別用端子８ｃとの間に接続される。この場合でも、電子機器内の抵抗６と測定ジグ７内の抵抗９とによって分圧電圧が得られる。
【００１４】
電子機器に取り付ける電源端子２ａ、接地端子２ｂ、測定端子５の取り付け位置を製品毎に所定位置に固定にしておけば、機種が変わってても共通の測定ジグ７が使用できる。
なお、機種判別のためには、上記に説明した電圧の測定に代えて、抵抗値そのものの測定によっても可能であることは勿論である。
【００１５】
【発明の効果】
以上説明したように、本発明の電子機器は、回路を内部に構成したケース本体を有し、ケース本体には回路に電源電圧を供給する電源端子及び接地端子と、回路には関係しない機種判別用端子とを外方に突出して設け、機種判別用端子と接地端子との間、又は機種判別用端子と電源端子との間に接続された抵抗をケース本体内に設け、抵抗の抵抗値を機種毎に異ならせたので、抵抗に現れる電圧を検出することで簡単に機種判別ができる、この場合、抵抗値を変えるので、機種数が増えてもコスト高にはならない。
【００１６】
また、接地端子、電源端子、機種判別用端子をケース本体の同一側面上の所定位置に設けたので、機種が変わってても共通の測定ジグが使用できる。
【図面の簡単な説明】
【図１】本発明の電子機器の構成を示す回路図である。
【図２】本発明の電子機器の構成を示す他の回路図である。
【図３】従来の電子機器の機種判別のために使用する基板のパターン図である。
【符号の説明】
１  本体ケース
２  端子
２ａ  電源端子
２ｂ  接地端子
３  回路基板
４  高周波回路
５  機種判別用端子
６  抵抗
７  測定ジグ
８  端子
８ａ  電源端子
８ｂ  接地端子
８ｃ  機種判別用端子
９  抵抗
【図１】
2004281565.tif 000003
【図２】
2004281565.tif 000004
【図３】
2004281565.tif 000005